(57)【要約】【課題】複数の案内対象物が存在するエリアにおいて所望の案内対象物に容易に辿り着かせる。【解決手段】複数の案内対象物をそれぞれ示す複数の動物アイコン１２ａ〜１２ｊと、複数の案内対象物間を結ぶ経路を示す経路情報１５とが表示されてなる案内マップ１において、案内マップ１の現在位置を取得する通信部２５と、複数の案内対象物のうち指定された案内対象物を示す動物アイコンと、複数の案内対象物のうち通信部２５にて取得された現在位置に最も近い案内対象物を示す動物アイコンとを強調表示する表示ユニット２２ａ〜２２ｊ及び制御基板２６とを有する。【選択図】図１
2010091515.tif 000002
【特許請求の範囲】
【請求項１】
シート媒体上に、複数の案内対象物をそれぞれ示す複数のマークと、前記複数の案内対象物間を結ぶ経路を示す経路情報とが表示されてなる案内マップにおいて、
当該案内マップの現在位置を取得する位置取得手段と、
前記複数の案内対象物のうち指定された案内対象物を示すマークを強調表示するとともに、前記位置取得手段にて取得された現在位置を前記経路情報上に表示する表示制御手段とを有することを特徴とする案内マップ。
【請求項２】
シート媒体上に、複数の案内対象物をそれぞれ示す複数のマークと、前記複数の案内対象物間を結ぶ経路を示す経路情報とが表示されてなる案内マップにおいて、
当該案内マップの現在位置を取得する位置取得手段と、
前記複数の案内対象物のうち指定された案内対象物を示すマークと、前記複数の案内対象物のうち前記位置取得手段にて取得された現在位置に最も近い案内対象物を示すマークとを強調表示する表示制御手段とを有することを特徴とする案内マップ。
【請求項３】
請求項１または請求項２に記載の案内マップにおいて、
前記表示制御手段は、前記位置取得手段にて取得された現在位置の履歴を前記経路情報上に表示する案内マップ。
【発明の詳細な説明】
【技術分野】
【０００１】
本発明は、シート媒体上に、複数の案内対象物をそれぞれ示す複数のマークと、複数の案内対象物間を結ぶ経路を示す経路情報とが表示されてなる案内マップに関する。
【背景技術】
【０００２】
従来より、動物園や遊園地、博物館等といったアミューズメント施設においては、園内あるいは館内の案内マップが準備され、入場者に配布されている。このような案内マップにおいては、案内の対象物とその対象物を結ぶ経路とが表示されており、入場者は、この案内マップを参照しながら園内あるいは館内を回ることになる。
【０００３】
ここで、地名等が表示されたボタンを押下すると、地図上のその地名に応じた領域が光る情報表示板が考えられている（例えば、特許文献１参照。）。この情報表示板に用いられた技術を上述したような案内マップに適用することにより、案内マップに表示された案内対象物のうち、入場者によって指定された案内対象物が光ることになり、入場者は、案内マップに表示されている案内の対象物のうち所望の対象物の位置を把握しやすくなる。
【特許文献１】特開平３−２９４８８９号公報
【発明の開示】
【発明が解決しようとする課題】
【０００４】
しかしながら、上述したように、案内マップに表示された案内対象物のうち、入場者によって指定された案内対象物が光るものにおいては、入場者の所望の対象物の絶対位置を把握しやすくなるものの、入場者が現在いる位置がわからない場合、入場者が所望の案内対象物に容易に辿り着けるとは言い難い。
【０００５】
本発明は、上述したような従来の技術が有する問題点に鑑みてなされたものであって、複数の案内対象物が存在するエリアにおいて所望の案内対象物に容易に辿り着かせることができる案内マップを提供することを目的とする。
【課題を解決するための手段】
【０００６】
上記目的を達成するために本発明は、
シート媒体上に、複数の案内対象物をそれぞれ示す複数のマークと、前記複数の案内対象物間を結ぶ経路を示す経路情報とが表示されてなる案内マップにおいて、
当該案内マップの現在位置を取得する位置取得手段と、
前記複数の案内対象物のうち指定された案内対象物を示すマークを強調表示するとともに、前記位置取得手段にて取得された現在位置を前記経路情報上に表示する表示制御手段とを有することを特徴とする。
【０００７】
上記のように構成された本発明においては、位置取得手段にて案内マップの現在位置が取得されると、シート媒体上に表示された、複数の案内対象物間を結ぶ経路を示す経路情報上に案内マップの現在位置が表示され、また、複数の案内対象物の中から案内対象物が指定されると、指定された案内対象物を示すマークが強調表示される。そのため、案内マップを所持する者は、現在自分がいる位置と指定した案内対象物との相対位置を認識することができ、所望の案内対象物に容易に辿り着くことができる。
【０００８】
また、シート媒体上に、複数の案内対象物をそれぞれ示す複数のマークと、前記複数の案内対象物間を結ぶ経路を示す経路情報とが表示されてなる案内マップにおいて、
当該案内マップの現在位置を取得する位置取得手段と、
前記複数の案内対象物のうち指定された案内対象物を示すマークと、前記複数の案内対象物のうち前記位置取得手段にて取得された現在位置に最も近い案内対象物を示すマークとを強調表示する表示制御手段とを有することを特徴とする。
【０００９】
上記のように構成された本発明においては、位置取得手段にて案内マップの現在位置が取得されると、シート媒体上に表示された、複数の案内対象物をそれぞれ示す複数のマークのうち、位置取得手段にて取得された現在位置に最も近い案内対象物を示すマークが強調表示され、また、複数の案内対象物の中から案内対象物が指定されると、指定された案内対象物を示すマークが強調表示される。そのため、案内マップを所持する者は、現在自分がいるおおよその位置と指定した案内対象物との相対位置を認識することができ、所望の案内対象物に容易に辿り着くことができる。
【００１０】
また、表示制御手段によって、位置取得手段にて取得された現在位置の履歴が経路情報上に表示されれば、案内マップを所持する者が、自分が移動してきた経路を認識することができ、移動方向を把握しやすくなる。
【発明の効果】
【００１１】
以上説明したように本発明においては、シート媒体上に、複数の案内対象物をそれぞれ示す複数のマークと、複数の案内対象物間を結ぶ経路を示す経路情報とが表示されてなる案内マップにおいて、案内マップの現在位置を取得する位置取得手段と、複数の案内対象物のうち指定された案内対象物を示すマークを強調表示するとともに、位置取得手段にて取得された現在位置を経路情報上に表示する表示制御手段とを有する構成としたため、複数の案内対象物が存在するエリアにおいて所望の案内対象物に容易に辿り着かせることができる。
【００１２】
また、シート媒体上に、複数の案内対象物をそれぞれ示す複数のマークと、複数の案内対象物間を結ぶ経路を示す経路情報とが表示されてなる案内マップにおいて、案内マップの現在位置を取得する位置取得手段と、複数の案内対象物のうち指定された案内対象物を示すマークと、複数の案内対象物のうち位置取得手段にて取得された現在位置に最も近い案内対象物を示すマークとを強調表示する表示制御手段とを有する構成としたものにおいても、複数の案内対象物が存在するエリアにおいて所望の案内対象物に容易に辿り着かせることができる。
【００１３】
また、表示制御手段が、位置取得手段にて取得された現在位置の履歴を経路情報上に表示するものにおいては、案内マップを所持する者が、自分が移動してきた経路を認識することができ、移動方向を把握しやすくなる。
【発明を実施するための最良の形態】
【００１４】
以下に、本発明の実施の形態について図面を参照して説明する。
【００１５】
（第１の実施の形態）
図１は、本発明の案内マップの第１の実施の形態を示す図であり、（ａ）は表面図、（ｂ）は断面図、（ｃ）は（ｂ）に示した制御シート部２０の構造を示す図である。
【００１６】
本形態は図１に示すように、紙等ならなるシート媒体である２枚の表面シート１０ａ，１０ｂにシート状の制御シート部２０が挟み込まれ、これらが粘着剤（不図示）によって互いに貼着されて構成されている。
【００１７】
表面シート１０ａには、図１（ａ）に示すように、この案内マップ１を用いて案内される動物園にて公開されている案内対象物となる動物が飼育されている場所に、その動物を示すマークとなる動物アイコン１２ａ〜１２ｊがそれぞれ表示されており、また、これら動物が飼育されている場所間の経路を示す経路情報１５が表示されている。また、トイレやレストランの場所もアイコンでそれぞれ表示されており、そのトイレやレストランの混雑状況を３段階で示す混雑メーター１４ａ〜１４ｃが表示されている。さらに、動物アイコン１２ａ〜１２ｊが表示された動物のそれぞれについて、動物アイコン１２ａ〜１２ｊを点灯あるいは点滅させるためのボタン１１ａ〜１１ｊがその動物の絵柄によって表示されており、また、これらの動物について、ショーや餌やり等のイベントが行われる旨を示すイベントアイコン１３ａ〜１３ｆが表示されている。
【００１８】
制御シート部２０においては、図１（ｃ）に示すように、ボタン１１ａ〜１１ｊに対向する領域にスイッチ２１ａ〜２１ｊがそれぞれ配置されるとともに、動物アイコン１２ａ〜１２ｊ、イベントアイコン１３ａ〜１３ｆ及び混雑メーター１４ａ〜１４ｃに対向する領域に表示ユニット２２ａ〜２２ｊ，２３ａ〜２３ｆ，２４ａ〜２４ｃがそれぞれ配置されている。さらに、案内マップ１の現在位置情報や、トイレやレストランの混雑状況や、ショーや餌やり等のイベント情報を取得する位置取得手段となる通信部２５と、スイッチ２１ａ〜２１ｊの押下や通信部２５にて取得した情報に基づいて、表示ユニット２２ａ〜２２ｊ，２３ａ〜２３ｆ，２４ａ〜２４ｃの表示を制御する制御基板２６が設けられており、制御基板２６と、通信部２５、スイッチ２１ａ〜２１ｊ及び表示ユニット２２ａ〜２２ｊ，２３ａ〜２３ｆ，２４ａ〜２４ｃとは、表面シート１０ｂに印刷された配線によって互いに電気的に接続されている。この表示ユニット１２ａ〜１２ｊと制御基板２６から本願発明の表示制御手段が構成されている。スイッチ２１ａ〜２１ｊは、薄型のゴムの裏面に導電剤が塗布され、押下された場合に、表面シート１０ｂのスイッチ２１ａ〜２１ｊに対向する領域に印刷された２つの配線をこの導電剤によって短絡させるものである。また、表示ユニット２２ａ〜２２ｊ，２３ａ〜２３ｆ，２４ａ〜２４ｃは、発色層が２枚の透明電極によって挟み込まれ、透明電極に印加される電圧によって発色層が発色することにより点灯あるいは点滅するものである。このような表示ユニット２２ａ〜２２ｊ，２３ａ〜２３ｆ，２４ａ〜２４ｃとしては、垂直型電気泳動方式のものや有機ＥＬ（Electro Luminescence）を用いたもの、あるいはエレクトロクロミック方式のもの等が考えられるが、電圧が印加されなくなった後でも点灯を維持する必要がある場合は、垂直型電気泳動方式のものやエレクトロクロミック方式のものが好ましい。また、制御基板２６は、フィルム等のフレキシブルな基板上に、小型のＩＣチップやコンデンサ、抵抗等の回路素子が搭載されるとともに、これらを接続する配線が設けられたものである。制御シート部２０は、上述したような構成であることから、可撓性を有しており、それにより、案内マップ１を折り畳むことができる。
【００１９】
以下に、上記のように構成された案内マップ１の使用方法について説明する。
【００２０】
図２は、図１に示した案内マップ１が使用されるアミューズメント施設である動物園内のマップを示す図である。
【００２１】
図２に示すように、図１に示した案内マップ１が使用される動物園２には、この動物園２にて公開されている動物が飼育されている場所のそれぞれに基地局３ａ〜３ｊが設置されている。この基地局３ａ〜３ｊは、動物園２内あるいは外部に設置されたサーバ（不図示）からの制御によって案内マップ１に情報を送信するものであって、互いに干渉しない通信範囲を有している。基地局３ａ〜３ｊにおける通信方式は、電波や赤外線等が考えられる。また、基地局３ａ〜３ｊの通信範囲は、互いに干渉しないようなものとなっているが、電波を用いた場合は周波数や時間、赤外線を用いた場合は時間をそれぞれ基地局３ａ〜３ｊ毎に割り当てて情報を送信すれば、通信範囲が若干重なるものとしても案内マップ１にて基地局３ａ〜３ｊから送信された情報を基地局３ａ〜３ｊを識別して受信することができる。
【００２２】
動物園２への入場者が案内マップ１を所持し、動物園２内を回る際、まず、案内マップ１の通信部２５において、案内マップ１の現在位置が取得される。動物園２に設置された基地局３ａ〜３ｊのそれぞれからは、基地局３ａ〜３ｊをそれぞれ識別可能な基地局ＩＤが送信されている。この基地局ＩＤは基地局３ａ〜３ｊの通信範囲に存在する案内マップ１の通信部２５にて受信される。
【００２３】
案内マップ１の通信部２５にて受信された基地局ＩＤは制御基板２６に通知され、制御基板２６において、表示ユニット２２ａ〜２２ｊのうち、通信部２５から通知された基地局ＩＤに対応する表示ユニットが点灯あるいは点滅するように制御される。制御基板２６においては、ＩＣチップのメモリ内に、基地局ＩＤと表示ユニット２２ａ〜２２ｊとが対応づけて記憶されており、この対応づけに基づいて基地局ＩＤに対応する表示ユニットが点灯あるいは点滅するように制御される。
【００２４】
図３は、図１に示した案内マップ１にて案内マップ１の現在位置と目的地が強調表示された状態を示す図である。
【００２５】
上述したように、表示ユニット２２ａ〜２２ｊは、表面シート１０ａに表示された動物アイコン１２ａ〜１２ｊに対向する領域に配置されている。そのため、制御基板２６においては、その動物アイコン１２ａ〜１２ｊによって示される場所に設置された基地局３ａ〜３ｊの基地局ＩＤと、動物アイコン１２ａ〜１２ｊに対向する領域に配置された表示ユニット２２ａ〜２２ｊとが対応づけられている。そして、例えば、案内マップ１を所持する入場者が、動物園２のライオンが飼育されている場所の近くにいる場合、ライオンが飼育されている場所に設置された基地局３ａの基地局ＩＤが通信部２５にて受信され、制御基板２６によって表示ユニット２２ａが点灯あるいは点滅するように制御される。それにより、案内マップ１にてライオンが飼育されている場所に表示された動物アイコン１２ａが点灯あるいは点滅されることで強調表示される。すなわち、動物園２の動物が飼育されている場所のうち、案内マップ１の現在位置に最も近い場所を示す動物アイコン１２ａが強調表示されることになる。
【００２６】
また、案内マップ１を所持する入場者が、案内マップ１に表示されたボタン１１ａ〜１１ｊのうち、見たい動物の絵柄が表示されたボタンを押下することによって動物が指定されると、そのボタンに対向する領域に配置されたスイッチが押下されることにより、制御基板２６においてそのボタンが押下されたことが認識され、押下されたボタンに対応する表示ユニットが点灯あるいは点滅するように制御される。制御基板２６においては、ＩＣチップのメモリ内に、ボタンと表示ユニット２２ａ〜２２ｊとが対応づけて記憶されており、この対応づけに基づいてボタンに対応する表示ユニットが点灯あるいは点滅するように制御される。表面シート１０ａに表示されたボタン１１ａ〜１１ｊは、動物園２にて公開されている動物の絵柄によって表示されており、この絵柄の動物と、表示ユニット２２ａ〜２２ｊに対向する領域に配置された動物アイコン１２ａ〜１２ｊによって示される動物とが対応するように、制御基板２６において、ボタンと表示ユニット２２ａ〜２２ｊとが対応づけて記憶されている。そのため、例えば、案内マップ１を所持する入場者が、ペンギンを見たい場合にボタン１１ａ〜１１ｊのうち、ペンギンが表示されたボタン１１ｆを押下することによってペンギンが指定されると、そのボタンに対向する領域に配置されたスイッチ２１ｆが押下され、制御基板２６によって表示ユニット２２ｆが点灯あるいは点滅するように制御される。そして、案内マップ１にてペンギンが飼育されている場所に表示された動物アイコン１２ｆが点灯あるいは点滅されることで強調表示される。なお、スイッチ２１ａ〜２１ｊの押下による表示ユニット２２ａ〜２２ｊの点灯は、制御基板２６を介さずに、電源と表示ユニット２２ａ〜２２ｊとをスイッチ２１ａ〜２１ｊをそれぞれ介して接続することでも制御することができる。
【００２７】
これにより、案内マップ１を所持する入場者は、現在自分がいる場所と指定した動物が飼育されている場所との相対位置を認識することができ、所望の動物に容易に辿り着くことができる。
【００２８】
また、基地局３ａ〜３ｊから送信されて案内マップ１の通信部２５にて受信される情報は、上述した基地局ＩＤに限らない。基地局３ａ〜３ｊを制御するサーバにおいては、動物園２内に設置されたトイレやレストランの混雑状況が管理されており、この混雑状況が３段階で示された情報が基地局３ａ〜３ｊに送信されている。この情報は基地局３ａ〜３ｊを介して基地局ＩＤとともに送信されており、基地局３ａ〜３ｊから基地局ＩＤを受信した案内マップ１の通信部２５にて受信される。通信部２５にて受信された情報は、基地局ＩＤと同様に制御基板２６に通知され、制御基板２６において、通信部２５から通知された情報に基づいて、表示ユニット２４ａ〜２４ｃが点灯するように制御され、それにより、混雑メーター１４ａ〜１４ｃにおいてトイレやレストランの混雑状況に応じた表示がされる。混雑メーター１４ａ〜１４ｃのそれぞれは、３つの表示部を有しており、トイレやレストランの混雑状況に応じた数の表示部が点灯するように制御されたり、点灯する色を変えたりすることによって混雑状況が３段階で表示されることになる。この混雑メーター１４ａ〜１４ｃの表示は、トイレやレストランの混雑状況が３段階で示された情報が基地局３ａ〜３ｊから送信されてくる度に自動的に更新される。そのため、案内マップ１を所持する入場者は、トイレやレストランの現在の混雑状況を知ることができる。
【００２９】
また、動物園２においては、公開している動物に対してショーや餌やり等のイベントを予め決められた時間で行うことが企画されている。基地局３ａ〜３ｊを制御するサーバにおいては、この時間がイベントを行う動物毎に管理されており、その時間になると、イベントの種類及びイベントを行う動物を示す情報がサーバから基地局３ａ〜３ｊを介して送信される。この情報は、基地局３ａ〜３ｊから基地局ＩＤを受信した案内マップ１の通信部２５にて受信される。通信部２５にて受信された情報は、基地局ＩＤと同様に制御基板２６に通知され、制御基板２６において、通信部２５から通知された情報に基づいて、表示ユニット２３ａ〜２３ｆが点灯あるいは点滅するように制御され、それにより、イベントアイコン１３ａ〜１３ｆのうち、イベントが行われる動物についてその種類のアイコンが点灯あるいは点滅する。
【００３０】
（第２の実施の形態）
図４は、本発明の案内マップの第２の実施の形態を示す図である。
【００３１】
本形態は図４に示したように、第１の実施の形態に示したものに対して、経路情報１５上に、案内マップ１０１の現在位置及び案内マップ１０１を所持する入場者が移動した履歴を表示する履歴マーク１６が配置されている点のみが異なるものであり、制御シート部２０の履歴マーク１６に対向する領域には、表示ユニット２２ａ〜２２ｊ，２３ａ〜２３ｆ，２４ａ〜２４ｃと同様の表示ユニットがそれぞれ配置されている。
【００３２】
以下に、本形態における案内マップ１０１の使用方法について説明する。なお、ボタン１１ａ〜１１ｊの押下による動物アイコン１２ａ〜１２ｊの強調表示や、混雑メーター１４ａ〜１４ｃ及びイベントアイコン１３ａ〜１３ｆの表示については、第１の実施の形態にて示したものと同様であるので説明を省略する。
【００３３】
図５は、図４に示した案内マップ１０１にて案内マップ１０１の現在位置及び移動履歴が表示されるとともに目的地が強調表示された状態を示す図である。
【００３４】
動物園２内においては、動物が飼育されている場所間の経路に沿って、履歴マーク１６に対応する場所に、図２に示した基地局３ａ〜３ｊと同様の基地局が設置されており、それらの基地局からは上記同様に基地局ＩＤが送信されている。
【００３５】
基地局から送信された基地局ＩＤは、上記同様に、案内マップ１０１の通信部２５にて受信され、それにより、案内マップ１０１の現在位置が取得される。通信部２５にて受信された基地局ＩＤは制御基板２６に通知され、制御基板２６において、通信部２５から通知された基地局ＩＤに対応する表示ユニットが点灯するように制御され、それにより、履歴マーク１６のうち、基地局ＩＤが受信された基地局が設置された位置、すなわち、案内マップ１０１の現在位置に対応する履歴マークが点灯する。なお、基地局ＩＤと表示ユニットとの対応づけは、上述した基地局ＩＤと表示ユニット２２ａ〜２２ｊと同様に、制御基板２５のＩＣチップのメモリ内に予め記憶されている。
【００３６】
これにより、案内マップ１０１を所持する入場者は、自分の現在位置を認識することができる。
【００３７】
この案内マップ１０１の現在位置、すなわち、基地局から受信された基地局ＩＤは、制御基板２５のＩＣチップのメモリ内に所定の時間毎に位置履歴情報として記憶される。
【００３８】
その後、案内マップ１０１を所持した入場者が移動すると、上記同様に、案内マップ１０１の通信部２５においては、案内マップ１０１が通信範囲に入った基地局から送信された基地局ＩＤが受信され、その基地局ＩＤが制御基板２５に通知される。制御基板２５においては、通知された基地局ＩＤに対応する表示ユニットと、ＩＣチップのメモリ内に位置履歴情報として記憶された基地局ＩＤに対応する表示ユニットとが点灯するように制御され、それにより、案内マップ１０１を所持した入場者が移動してきた経路上の履歴マーク１６が点灯し、案内マップ１０１にて取得された案内マップ１０１の現在位置の履歴が表示されることになる。これにより、案内マップ１０１を所持した入場者は、自分が移動してきた経路を認識することができ、移動方向を把握しやすくなる。
【００３９】
ここで、上記のようにして点灯する履歴マークの明るさを変えることによって、案内マップ１０１を所持した入場者の移動方向をさらに把握しやすくすることもできる。制御基板２５においては、通信部２５から通知された基地局ＩＤに対応する表示ユニットと、ＩＣチップのメモリ内に位置履歴情報として記憶された基地局ＩＤに対応する表示ユニットとが点灯するように制御されるが、その際、制御基板２６において、通信部２５から通知された基地局ＩＤに対応する表示ユニットの方が、ＩＣチップのメモリ内に位置履歴情報として記憶された基地局ＩＤに対応する表示ユニットよりも明るくなるように表示ユニットにて発色する色を制御する。さらに、ＩＣチップのメモリ内に位置履歴情報として記憶された基地局ＩＤが複数ある場合は、ＩＣチップのメモリ内に位置履歴情報として記憶された基地局ＩＤのうち先に記憶された基地局ＩＤに対応する表示ユニットよりも後に記憶された基地局ＩＤに対応する表示ユニットの方が明るくなるように制御する。それにより、例えば、図５に示すように、案内マップ１０１を所持した入場者の現在位置の履歴マーク１６ａが点灯し、さらに、この入場者が移動してきた経路上の履歴マーク１６ｂ，１６ｃのうち、現在位置に近い履歴マーク１６ｂが、履歴マーク１６ａよりも暗く、かつ、現在位置から遠い履歴マーク１６ｃよりも明るく点灯することとなり、案内マップ１０１を所持した入場者は、移動方向をさらに把握しやすくなる。
【００４０】
また、案内マップ１０１においては、案内マップ１０１を所持する入場者がボタン１１ｆを押下することにより指定されたペンギンの動物アイコン１２ｆが点灯あるいは点滅している。
【００４１】
なお、本形態においては、案内マップ１０１の現在位置を、動物が飼育されている場所間の経路に沿って設置された基地局から送信された基地局ＩＤによって認識しているが、通信部２５に一般的なＧＰＳ（Global Positioning System）機能を搭載し、案内マップ１０１の現在位置を取得する構成としてもよい。
【００４２】
また、上述した２つの実施の形態を組み合わせることも可能である。すなわち、図４に示した構成を有する案内マップ１０１において、図１に示した案内マップ１のように、案内マップ１０１の現在位置に最も近い動物アイコンを点灯あるいは点滅させることもできる。
【００４３】
また、上述した案内マップ１，１０１において、制御シート部２０に、ピエゾ素子や振動板からなるシート状の音声出力手段を設けることにより、例えば、案内マップ１，１０１の現在位置やイベント情報、あるいは指定した動物についての情報を音声によって出力することもできる。その場合、出力される音声情報は基地局３ａ〜３ｊから送信されることや、制御基板２６のＩＣチップのメモリ内に記憶しておくこと等が考えられるが、基地局３ａ〜３ｊと通信部２５との通信を赤外線等の簡易な方法で行う場合は、制御基板２６のＩＣチップのメモリ内に記憶しておくが好ましい。
【００４４】
また、本形態においては、案内マップ１，１０１として、動物園２の園内を案内するものを例に挙げて説明したが、本発明はこれに限らず、遊園地や博物館といったアミューズメント施設等、案内対象物が複数配置されている施設に使用することができる。
【図面の簡単な説明】
【００４５】
【図１】本発明の案内マップの第１の実施の形態を示す図であり、（ａ）は表面図、（ｂ）は断面図、（ｃ）は（ｂ）に示した制御シート部の構造を示す図である。
【図２】図１に示した案内マップ１が使用されるアミューズメント施設である動物園内のマップを示す図である。
【図３】図１に示した案内マップにて案内マップの現在位置と目的地が強調表示された状態を示す図である。
【図４】本発明の案内マップの第２の実施の形態を示す図である。
【図５】図４に示した案内マップにて案内マップの現在位置及び移動履歴が表示されるとともに目的地が強調表示された状態を示す図である。
【符号の説明】
【００４６】
１，１０１    案内マップ
２    動物園
３ａ〜３ｊ    基地局
１０ａ，１０ｂ    表面シート
１１ａ〜１１ｊ    ボタン
１２ａ〜１２ｊ    動物アイコン
１３ａ〜１３ｆ    イベントアイコン
１４ａ〜１４ｃ    混雑メーター
１５，１１５    経路情報
１６，１６ａ〜１６ｃ    履歴マーク
２０    制御シート部
２１ａ〜２１ｊ    スイッチ
２２ａ〜２２ｊ，２３ａ〜２３ｆ，２４ａ〜２４ｃ    表示ユニット
２５    通信部
２６    制御基板
【図１】
2010091515.tif 000003
【図２】
2010091515.tif 000004
【図３】
2010091515.tif 000005
【図４】
2010091515.tif 000006
【図５】
2010091515.tif 000007